(57)【特許請求の範囲】
【請求項１】
２種類の間隔で交互に配列されたパーフォレーションを備え、湾曲されたフイルム通路内を移送される写真フイルムの定尺送りに用いられるスプロケットにおいて、
円盤状のスプロケット本体と、この周面に１８０°の回転対称で二組突設され、短い間隔で並んだ一対のパーフォレーションが移動してきたときにこれらに順次に係合する一対の歯とから構成され、
前記周面のうち前記歯が設けられていない歯間の広い方の周面をこれによって写真フイルムの面が押圧されるように外側に突出形成し、写真フイルムの１コマ移送の間に、前記湾曲されたフイルム通路によって湾曲されていた写真フイルムが引っ張られて平面状になろうとすることにより、前記突出形成された周面と写真フイルムの面との密着は更に強くなり、これらの間に生じる摩擦によって従動回転されることを特徴とするスプロケット。
【請求項２】
２種類の間隔で交互に配列されたパーフォレーションのうち間隔の長いパーフォレーション間の中心を露光位置の長手方向の中心に合わせるように写真フイルムを湾曲されたフイルム通路内を移送して１コマずつ巻き上げるフイルム巻上げ装置において、
撮影終了後に前記写真フイルムをフイルム巻上げ方向に移送するフイルム移送手段と、
円盤状のスプロケット本体と、この周面に１８０°の回転対称で二組突設され、短い間隔で並んだ一対のパーフォレーションが移動してきたときにこれらに順次に係合する一対の歯とから構成され、前記周面のうち前記歯が設けられていない歯間の広い方の周面をこれによって写真フイルムの面が押圧されるように外側に突出形成し、写真フイルムの１コマ移送の間に、前記湾曲されたフイルム通路によって湾曲されていた写真フイルムが引っ張られて平面状になろうとすることにより、前記突出形成された周面と写真フイルムの面との密着は更に強くなり、これらの間に生じる摩擦によって従動回転されるスプロケットと、
前記スプロケットと同軸に固定して設けられたカム部材と、
前記カム部材を押して、前記スプロケットの従動回転を補助する付勢バネと、
前記一対の歯が前記一対のパーフォレーションに係合している間にスプロケットに与えられる回転力を利用してシャッタチャージを行うシャッタチャージ機構と、
前記写真フイルムが１コマ移送される間のスプロケットの回転によりフイルム移送手段の作動を禁止する巻き止め機構とを備えたことを特徴とするフイルム巻上げ装置。
【発明の詳細な説明】
【０００１】
【発明の属する技術分野】
本発明は、写真フイルムを１コマ分の長さだけ移送するスプロケット及びフイルム巻上げ装置に関し、更に詳しくは、１コマあたり２個のパーフォレーションが設けられた写真フイルムの移送に用いられるスプロケット及びフイルム巻上げ装置に関するものである。
【０００２】
【従来の技術】
最近、１３５タイプの写真フイルムパトローネより小さな樹脂製カートリッジに収納され、１コマあたり２個のパーフォレーションが形成されたアドバンストフォトシステム対応の写真フイルムと、これを使用するコンパクトカメラやレンズ付きフイルムユニット（例えば「写ルンですSuperSlim 」（商品名））が市販されている。
【０００３】
このレンズ付きフイルムユニットに搭載されているフイルム巻上げ装置には、一対の歯を二組、円周面の１８０°隔てた位置にそれぞれ形成したスプロケットが設けられている。写真フイルムにはパーフォレーションが連続的に設けられていないことから、スプロケットの歯がパーフォレーションの何れとも噛合されない状態が発生するが、装置に設けられた板状の付勢バネがスプロケットと同軸に設けられたカム部材を押圧し、これをスプロケットの従動回転方向に回動させることにより、スプロケットの歯は、次のパーフォレーションに噛合可能な位置まで移動される。そして、カム部材の回転によりシャッタチャージやカウンタ板による撮影可能枚数表示が行われる。
【０００４】
【発明が解決しようとする課題】
上記フイルム巻上げ装置は、カム部材を付勢バネによって強く押圧しているため、巻上げノブの操作が重くなるという欠点がある。これを改善するには、付勢バネの付勢力を弱くすればよいが、付勢バネの付勢力を弱くすると、スプロケットの回転が不十分になって、次の歯が写真フイルムに当接される位置まで十分に移動せず、パーフォレーションとの噛合が失敗するおそれがある。特に、風の強い砂浜等で使用すると、細かい砂がシャッタボタン周りの切欠からカバーの内側に入り込み、カム部材と付勢バネとの間に砂が侵入してスプロケットの回転が不十分になり、写真フイルムの１コマ送り制御が不可能になる場合があった。
【０００５】
本発明は、軽い力で巻上げ操作を行うことができるとともに、確実に写真フイルムの１コマ送りを行うことができるスプロケット及びフイルム巻上げ装置を提供することを目的とする。
【０００６】
【課題を解決するための手段】
上記目的を達成するために、本発明のスプロケットは、２種類の間隔で交互に配列されたパーフォレーションを備え、湾曲されたフイルム通路内を移送される写真フイルムの定尺送りに用いられるスプロケットにおいて、円盤状のスプロケット本体と、この周面に１８０°の回転対称で二組突設され、短い間隔で並んだ一対のパーフォレーションが移動してきたときにこれらに順次に係合する一対の歯とから構成され、前記周面のうち前記歯が設けられていない歯間の広い方の周面をこれによって写真フイルムの面が押圧されるように外側に突出形成し、写真フイルムの１コマ移送の間に、前記湾曲されたフイルム通路によって湾曲されていた写真フイルムが引っ張られて平面状になろうとすることにより、前記突出形成された周面と写真フイルムの面との密着は更に強くなり、これらの間に生じる摩擦によって従動回転されるようにしたものである。
【０００７】
また、本発明のフイルム巻上げ装置は、２種類の間隔で交互に配列されたパーフォレーションのうち間隔の長いパーフォレーション間の中心を露光位置の長手方向の中心に合わせるように写真フイルムを湾曲されたフイルム通路内を移送して１コマずつ巻き上げるフイルム巻上げ装置において、撮影終了後に前記写真フイルムをフイルム巻上げ方向に移送するフイルム移送手段と、円盤状のスプロケット本体と、この周面に１８０°の回転対称で二組突設され、短い間隔で並んだ一対のパーフォレーションが移動してきたときにこれらに順次に係合する一対の歯とから構成され、前記周面のうち前記歯が設けられていない歯間の広い方の周面をこれによって写真フイルムの面が押圧されるように外側に突出形成し、写真フイルムの１コマ移送の間に、前記湾曲されたフイルム通路によって湾曲されていた写真フイルムが引っ張られて平面状になろうとすることにより、前記突出形成された周面と写真フイルムの面との密着は更に強くなり、これらの間に生じる摩擦によって従動回転されるスプロケットと、前記スプロケットと同軸に固定して設けられたカム部材と、前記カム部材を押して、前記スプロケットの従動回転を補助する付勢バネと、前記一対の歯が前記一対のパーフォレーションに係合している間にスプロケットに与えられる回転力を利用してシャッタチャージを行うシャッタチャージ機構と、前記写真フイルムが１コマ移送される間のスプロケットの回転によりフイルム移送手段の作動を禁止する巻き止め機構とを備えたものである。
【０００８】
【発明の実施の形態】
本発明を実施したレンズ付きフイルムユニット２は、図２に示すように、予めフイルムカートリッジが装填され各種撮影機構が組み込まれたユニット本体３と、このユニット本体３を部分的に覆う外装紙４とから構成されている。ユニット本体３の上面にはシャッタボタン６，カウンタ窓７が、前面にはファインダ８，撮影レンズ９，ストロボ充電スイッチ１０，ストロボ発光部１１等が設けられている。また、背面側からは１コマの撮影毎に回動操作される巻上げノブ１２が露呈されている。
【０００９】
外装紙４は、裏面に接着剤が塗布されてユニット本体３の中央部分とシャッタボタン６の周辺部を覆うように貼付され、指で押圧されるシャッタボタン６の中央部，撮影レンズ９，ファインダ８，カウンタ窓７等を外部に露呈させる開口が形成されている。なお、シャッタボタン６の周辺部を覆う舌片部４ａは、シャッタボタン周りの切欠６ａから細かい砂がユニット本体３内に入り込むのを阻止するためのものであり、シャッタボタン６の押下操作に支障がないように、舌片部４ａの開口１３近傍のシャッタボタン６と接触される部分には接着剤が塗布されていない。
【００１０】
図３に示すように、ユニット本体３は、フイルムカートリッジ１４が装填される本体基部１６と、この本体基部１６の前面に組み付けられる露光ユニット１７及びストロボユニット１８と、本体基部１６の前面側及び背面側を覆うように組み付けられる前カバー１９及び後カバー２０とから構成されており、これらは爪係合によって組み立てられる。
【００１１】
フイルムカートリッジ１４は、プラスチック製のカートリッジ本体２２と、このカートリッジ本体２２内に収納される写真フイルム２３とから構成されている。カートリッジ本体２２内には、写真フイルム２３の一端が係止されるスプール２５が回転自在に組み込まれており、更に特開平６−２６６０５３号公報で知られるようなフイルム送出し機構が内蔵されている。また、写真フイルム２３がカートリッジ本体２２内に出入りするフイルム出入り口（図示せず）には、外部から回動されることによりフイルム出入り口を開閉する棒状の遮光蓋２６が、従来のテレンプに代わって組み込まれている。
【００１２】
図４に示すように、写真フイルム２３はフイルム自由端部２３ａ，撮影領域２３ｂ，フイルム係止部２３ｃから構成されている。撮影領域２３ｂには、一方の側縁に沿ってサイズの異なった大小２個のパーフォレーション２８，２９が２種類の間隔で交互に配列されている。パーフォレーション２８，２９は、各コマ３０のフイルム給送方向の先頭側と後部側とを設定するもので、レンズ付きフイルムユニット２では撮影毎に写真フイルム２３をカートリッジ本体２２内に巻き込んでいくことから、大パーフォレーション２８がフイルム給送方向の先頭側を、小パーフォレーション２９が後部側を示している。各パーフォレーション２８，２９は、コマ３０の数に対応する数だけ設けられている。
【００１３】
フイルム係止部２３ｃは端部がスプール２５に係止されており、巻上げノブ１２の回動操作によるスプール２５の回転によって、スプール２５に巻き付けられる。フイルム自由端部２３ａとフイルム係止部２３ｃとは撮影に用いられない領域とされており、現像処理時に使用するための露光禁止領域となっている。そのため、フイルム自由端部２３ａとフイルム係止部２３ｃは、未露光の状態でカートリッジ本体２２内に巻き上げられる。
【００１４】
図示した写真フイルム２３は、一般のカメラに使用される写真フイルムに追加工を施してレンズ付きフイルムユニット用としたものである。カメラ用の写真フイルムとレンズ付きフイルムユニット用の写真フイルム２３との差異は、大パーフォレーション２８の大きさと、フイルム係止部２３ｃの範囲内に追加された初期チャージ用の小パーフォレーション３１である。カメラ用の写真フイルムでは全てのパーフォレーションの大きさが同じ大きさとなっており、フイルム係止部２３ｃ内にパーフォレーションは存在しない。フイルム自由端部２３ａのパーフォレーション３２は、カメラに装填された際に最初のシャッタチャージを行うためのものである。
【００１５】
本体基部１６の中央部には、前面側に組み付けられた露光ユニット１７から写真フイルム２３までの間の撮影光路を遮光する遮光筒３４が設けられている。この遮光筒３４の背面側には、写真フイルム２３への露光範囲を規定するアパーチャーが形成されており、このアパーチャーに対面するように、後カバー２０には湾曲したフイルム支持面２０ａが形成されている。これにより、本体基部１６とフイルム支持面２０ａとの間に形成されるフイルム通路は湾曲した形状になり、この中を移送され、フイルム支持面２０ａに支持される写真フイルム２３は湾曲される。したがって、単玉レンズである撮影レンズ９の像面湾曲が補正され、露光画面全体にわたってピントの良好な画像を得ることができる。
【００１６】
遮光筒３４の前面側には、撮影レンズ９を透過した被写体光をアパーチャーに導くための開口４６が形成されている。また、遮光筒３４の上方には、露光ユニット１７に組み込まれたスプロケットを写真フイルム２３に向けて露呈させるための開口３４ａが形成されている。遮光筒３４を挟む両側には、製造段階でカートリッジ本体２２と、写真フイルム２３がロール状に巻かれたフイルムロール３５とがそれぞれ収納される、カートリッジ室３６とフイルムロール室３７とが一体に形成されている。
【００１７】
カートリッジ室３６及びフイルムロール室３７は、本体基部１６の背面側に後カバー２０が組み付けられ、後カバー２０に一体に形成されたカートリッジ室用の底蓋３９と、フイルムロール室用の底蓋４０とが閉じられることにより、適正な遮光性が得られる。なお、底蓋３９，４０は、後カバー２０に対して屈曲自在な薄肉部を介して連結されており、底蓋３９は使用後のレンズ付きフイルムユニット２からフイルムカートリッジ１４を取り出す際に開放される。
【００１８】
カートリッジ室３６の上部には、巻上げノブ１２が回転自在に組み付けられている。この巻上げノブ１２は、外周にギヤが形成されており、下面に形成された駆動軸がカートリッジ本体２２のスプール２５に係合される。そして、１コマの撮影ごとに図中反時計方向に回転操作されることにより、スプール２５で写真フイルム２３を巻き上げる。また、巻上げノブ１２は、カートリッジ室３６の上面に形成された逆止爪４５がギヤに噛合されることにより、逆方向への回転を阻止されている。
【００１９】
また、図示しないが、カートリッジ室３６の上面及び側面には、カートリッジ室３６からフイルムカートリッジ１４を取り出す際に、底蓋３９の開放に連動して遮光蓋２６を閉じる遮光蓋閉鎖機構が組み込まれている。
【００２０】
ストロボユニット１８は、ストロボ回路が設けられたプリント基板１８ａと、これに組み付けられたストロボ発光部１１とからなり、前カバー１９に設けられたストロボ充電スイッチ１０の押圧によって、スイッチ接片４２がプリント基板１８ａの接点部分に接触されることによりストロボ充電が行われ、シャッタレリーズにシンクロしてストロボ発光が行われる。また、プリント基板１８ａにはストロボユニット１８の電源となる乾電池４３を接続する金属接片も設けられている。
【００２１】
図１，図８，図９に示すように、本発明のフイルム巻上げ装置に係る露光ユニット１７は、プラスチック成形されたベース部４８に各種部品が組み付けられてユニット化され、遮光筒３４の前面に着脱自在に組み付けられる。ベース部４８の上面には、シャッタ機構を構成する複数の部品が組み付けられるとともに、ファインダ８を構成するレンズ４９が保持されている。ベース部４８の前面には、撮影レンズ９を保持するレンズカバー５０が組み付けられており、このレンズカバー５０とベース部４８との間に写真フイルム２３への露光を行う露光開口が形成され、この露光開口を開閉するシャッタ羽根が揺動自在に組み付けられている。
【００２２】
ベース部４８の上面には、軸５２，５３，軸受け部５４が形成されている。軸５２には、シャッタ駆動レバー５５，第１バネ５６，カウンタ板５７が順に挿入される。軸５３には、第２バネ５８，係止レバー５９が順に挿入される。軸受け部５４には、カム部材６０が挿入される。その他に、スプロケット６１と、ベース部４８の上面に組み付けられる付勢バネ６２と、天板６３とが露光ユニット１７を構成している。天板６３はベース部４８の上部に組み付けられ、穴６３ａで軸５２の上端を支持し、また、図５に示すように、砂や埃等がカム部材６０の上部にかからないように、段差部６３ｂでカム部材６０の上端６０ａを覆うように支持している。また、天板６３は全体が透明なプラスチックで形成されており、符号６４はカウンタ板５７の上面に記された目盛りを拡大表示するレンズとなっている。
【００２３】
上記軸受け部５４は下方まで穴が貫通されており、挿入されたカム部材６０の下端は下方から突出される。そして、カム部材６０の下端にはスプロケット６１が係合され、スプロケット６１は遮光筒３４の上部の開口３４ａから写真フイルム２３に向けて露呈される。スプロケット６１は、図６に示すように、円盤状のスプロケット本体６５と、この周面に１８０°の回転対称で二組突設され、隣合うコマ間の後部側と先頭側との近接した一対の大小パーフォレーション２８，２９に順次に噛合する一対の大小の歯６６，６７とから構成されている。
【００２４】
歯６６，６７間の広い方の円周面６１ａと、狭い方の円周面６１ｂとは、それぞれ異なる半径ｒ1 ，ｒ2 を有しており、ｒ1 ＞ｒ2 になっている。すなわち、広い方の円周面６１ａが狭い方の円周面６１ｂより外側に突出した形状になっており、１コマ分の写真フイルム２３がカートリッジ本体２２内に巻き上げられる間のフイルム移送に際して、（Ｂ）に示すように、大歯６６が大パーフォレーション２８から外れた後、円周面６１ａが写真フイルム２３の面に強く押しつけられる。また、フイルム巻上げ時には、フイルム支持面２０ａによって湾曲されていた写真フイルム２３が引っ張られて平面状になろうとするから、写真フイルム２３の面と円周面６１ａとの密着は更に強くなり、円周面６１ａと写真フイルム２３の面との間に摩擦が発生する。この摩擦により、（Ｃ）に示すように、小歯６７が写真フイルム２３に当接する待機位置まで、スプロケット６１が反時計方向に従動回転される。
【００２５】
円周面６１ａは、図７に示すように、断面が円弧状に形成され、写真フイルム２３に円周面６１ａのエッジで圧力カブリが発生するのを防止してある。なお、円周面６１ａの半径ｒ1 を変更することにより写真フイルム２３との干渉量を変更し、写真フイルム２３との摩擦力を調節することができる。また、スプロケット６１の円周面６１ａのみが突出しているから、スプロケット６１の円周面６１ｂが写真フイルム２３に接触することはなく、撮影時（大歯６６が大パーフォレーション２８に噛合した状態（図８参照））のピント面に影響を与えるおそれはない。
【００２６】
カム部材６０は、上方から順に、カウンタ駆動軸６９，巻止めカム７０，チャージカム７１，付勢カム７２，軸７３が一体に形成されている。軸７３は、軸受け部５４に挿入され、下端にスプロケット６１が係合される。
【００２７】
付勢カム７２は、１８０°の回転対称で形成された一対の突起からなる。大歯６６が大パーフォレーション２８から外れた後（図６（Ｂ））、ベース板４８に組み付けられた付勢バネ６２が付勢カム７２を押圧し、円周面６１ａと写真フイルム２３との摩擦によるスプロケット６１の従動回転を補助して、カム部材６０を確実に従動方向に回動させるようになっている。これにより、スプロケット６１の小歯６７は、次の小パーフォレーション２９に噛合可能な位置まで移動される。なお、付勢バネ６２は、金属薄板を屈曲させた板バネから形成されている。また、付勢バネ６２の付勢力は、巻上げノブ１２の操作抵抗を増加させない程度に弱くしてある。
【００２８】
シャッタ駆動レバー５５は、第１バネ５６によって反時計方向（レリーズ位置）に向けて付勢されている。第１バネ５６は、一端５６ａがベース部４８上のピン４８ａに掛けられ、他端５６ｂがシャッタ駆動レバー５５のバネ掛け部５５ａに掛けられている。シャッタチャージカム７１は、１８０°の回転対称で形成された羽根形状の突起からなり、シャッタ駆動レバー５５の突部５５ｂを押圧し、図８に示すように、時計方向（チャージ位置）に向けて回動させる。
【００２９】
係止レバー５９は、一端５８ａがベース部４８上のピン４８ｂに掛けられ、他端５８ｂがバネ掛け部５９ａに掛けられた第２バネ５８によって、時計方向（巻止め位置）に向けて付勢されている。カム部材６０が半回転して、巻止めカム７０の溝７０ａが係止レバー５９の爪部５９ｂに合致する位置に到達すると、図８に示すように、係止レバー５９は第２バネ５８の付勢によって時計方向に回動され、爪部５９ｂを溝７０ａに挿入する。これによりカム部材６０の回転が阻止され、フイルム巻止め状態となる。なお、第１バネ５６と第２バネ５８とでは、組付け時に巻き絞ることにより、第１バネ５６の方が第２バネ５８よりも付勢力が強いものとなっている。
【００３０】
係止レバー５９が爪部５９ｂを巻止めカム７０に係合するために時計方向に回動されると、係止レバー５９から下方に向けて突出された係合部７４が、シャッタ駆動レバー５５から上方に向けて突出された被係合部７５の回動軌跡内に入り込んで係合し、シャッタ駆動レバー５５をチャージ位置で保持する。
【００３１】
また、係止レバー５９が巻止めカム７０とシャッタ駆動レバー５５とに係合する際には、巻止め爪５９ｃが巻上げノブ１２の外周の歯に噛合される。これにより、カム部材６０によるフイルム巻止めとともに、巻上げノブ１２の回転禁止によるフイルム巻止めが行われる。なお、スプロケット６１は、シャッタチャージが行われている際には大歯６６が写真フイルム２３の大パーフォレーション２８に噛合している状態で停止される。
【００３２】
上記係合部７４と被係合部７５とが係合された後にシャッタボタン６が押下されると、シャッタボタン６の下面に形成された押圧ロッド７７（図３，図１１参照）が係止レバー５９のバネ掛け部片５９ａを押圧し、係止レバー５９は第２バネ５８の付勢に抗して反時計方向に回動される。係止レバー５９が反時計方向に回動されると、係合部７４と被係合部７５との係合が解除され、第１バネ５６の付勢によってシャッタ駆動レバー５５は、図８に示す位置から図９に示す位置まで反時計方向に回動される。
【００３３】
シャッタ駆動レバー５５が反時計方向に回動されると、被係合部７５の下方に形成された蹴飛ばしアーム５５ｂがシャッタ羽根の一端を蹴飛ばす。これにより、シャッタ羽根は軸着部を中心にして揺動して露光開口を開放し、写真フイルム２３への露光が行われる。シャッタ羽根はバネによって露光開口を塞ぐ位置に向けて付勢されているので、露光開口はすぐに閉じられる。
【００３４】
係止レバー５９は、係合部７４が被係合部７５の側面に当接することにより、シャッタボタン６の押圧ロッド７７によって回動された状態で保持される。しかしながら、爪部５９ｂと巻止めカム７０との係合の解除は、シャッタボタン６の押圧による回転だけでは行われない。これは、シャッタボタンを僅かに押圧して巻上げノブを回転することにより発生する、未露光写真フイルムの巻上げを防止するためである。
【００３５】
係止レバー５９の係合部７４の近傍には、凸部７９が一体に形成されている。この凸部７９には、シャッタレリーズ時にシャッタ駆動レバー５５が反時計方向に回動する際に、被係合部７５の近傍で上方に向かって突設された蹴飛ばし突起８０が突き当てられる。第１バネ５６と第２バネ５８とでは、第２バネ５８の方が付勢力が弱いので、凸部７９に蹴飛ばし突起８０が突き当たると、係止レバー５９は第２バネ５８の付勢に抗して反時計方向に回動される。これにより、爪部５９ｃが巻止めカム７０の溝７０ａから抜け出し、巻止め爪５９ｃが巻上げノブ１２の歯から離れてフイルム巻止めが解除され、続く写真フイルム２３の巻上げが可能となる。
【００３６】
図１０に示すように、カウンタ板５７の上面には、点や数字からなる目盛り８４が回転方向に沿って記されており、上方に配置される天板６３のレンズ６４を介してユニット本体３のカウンタ窓７から外部表示される。なお、目盛り８４は、残り撮影可能枚数を表示するように記されている。
【００３７】
カウンタ板５７の上面には、目盛り８４を避けて４つの同心円状の溝５７ａ，５７ｂ，５７ｃ，５７ｄが形成されている。例えば、レンズ付きフイルムユニット２を風の強い砂浜等で使用すると、シャッタボタン６の切欠６ａ等からカバー内に細かい砂が入り込み、付勢バネ６２とカム部材６０との間に砂が侵入して付勢バネ６２によるカム部材６０への付勢力が極端に弱くなる場合がある。溝５７ａ〜５７ｄは、このような不都合を防止するためのもので、カバー内に細かい砂が入り込んでも、この砂を溝５７ａ〜５７ｄが捕捉するため、カウンタ板５７の上面に落ちた砂が外周縁まで達し、ここからカム部材６０側に落下することが防止される。
【００３８】
また、カウンタ板５７の周囲には、カウンタ板５７を一目盛りずつ歩進する歩進ギヤ８６が一体に形成されている。この歩進ギヤ８６はカウンタ駆動軸６９の下部に形成された１８０°の回転対称で形成された羽根形状の突起からなる歩進カム８８（図８参照）に噛合され、カム部材６０の半回転によって図中時計方向に一歯分回転される。
【００３９】
また、図１１に示すように、前カバー１９の上部内壁には、シャッタボタン６を挟む両側に砂防止用のリブ１９ａ，１９ｂが一体に形成されている。特に、シャッタボタン６の根元近傍に設けられたリブ１９ａは、露光ユニット１７側に砂が侵入するのを有効に防止することができる。
【００４０】
このように構成されたレンズ付きフイルムユニット２は、シャッタボタン６の中央部を残してこの周囲が外装紙４の舌片部４ａで覆われ、砂や埃がユニット本体３内に入り難くなっている。レンズ付きフイルムユニット２を購入したユーザーは、始めに巻上げノブ１２を回転操作して撮影準備を行う。巻上げノブ１２が回転操作されると、図３に示すカートリッジ本体２２のスプール２５が巻上げ方向に回転され、図４に示すフイルム係止部２３ｃがカートリッジ本体２２内に巻き上げられる。
【００４１】
このフイルム巻上げ操作により写真フイルム２３の移送が開始されると、フイルム通路によって湾曲されていた写真フイルム２３が引っ張られて平面状になろうとするため、写真フイルム２３の面が強くスプロケット６１の円周面６１ａに密着される（図６（Ｂ））。これにより、写真フイルム２３の面と円周面６１ａとの間に摩擦が発生し、また付勢バネ６２からの付勢により、スプロケット６１とカム部材６０とは確実に従動方向に回転され、小歯６７が初期チャージ用の小パーフォレーション３１に噛合可能な待機位置まで移動される（図６（Ｃ））。付勢バネ６２の付勢力は、スプロケット６１の回転を補助する程度に弱くなっているから、巻上げノブ１２は軽い力で操作することができる。
【００４２】
更に写真フイルム２３が移送されると、スプロケット６１の小歯６７が小パーフォレーション３１に噛合し（図６（Ｄ））、大歯６６が最初のコマ３０ｂの大パーフォレーション２８に順次噛合する。巻上げノブ１２の回転操作が開始されてから大歯６６が大パーフォレーション２８に噛合するまでの間に、カム部材６０は反時計方向に半回転される。
【００４３】
カム部材６０が半回転する間にチャージカム７１がシャッタ駆動レバー５５の突部５５ｂを押圧して、シャッタ駆動レバー５５を第１バネ５６の付勢に抗して時計方向に回動させる。シャッタ駆動レバー５５がチャージ位置に向けて回動されると、シャッタ駆動レバー５５の蹴飛ばし突起８０による押圧が解除されるので、係止レバー５９は、第２バネ５８の付勢によって時計方向に回動する。
【００４４】
時計方向に回動した係止レバー５９は、爪部５９ｂを巻止めカム７０の溝７０ａに係合させてカム部材６０の回転をロックするとともに、係合部７４をシャッタ駆動レバー５５の被係合部７５の移動軌跡内に入り込ませる。これにより、チャージカム７１による押圧が解除されたシャッタ駆動レバー５５は、第１バネ５６の付勢によって反時計方向に回動し、被係合部７５と係合部７４とが係合する。
【００４５】
更に、係止レバー５９は巻止め爪５９ｃを巻上げノブ１２の外周のギヤに噛合させ、回転操作を阻止する。また、カウンタ板５７は、歩進ギヤ８６及び歩進カム８８によって時計方向に回転され、カウンタ窓７からは２５枚の残り撮影枚数を示す目盛り８４が表示される。これにより、レンズ付きフイルムユニット２の撮影準備が完了する。
【００４６】
その後、ファインダ８で撮影範囲を確認し、シャッタボタン６を押し下げる。このとき、舌片部４ａの開口１３とシャッタボタン６との間に隙間ができるが、シャッタボタン６を押し下げている指がほぼ開口１３を覆うので、ここから砂が入り込む可能性はきわめて少ない。万一、切欠６ａから砂が入った場合も、カム部材６０の上端は天板６３の段差部６３ｂで覆われているから、カム部材６０の回転が阻害されることはない。また、カウンタ板５７の上面に落下した砂は、溝５７ａ〜５７ｄで捕捉されるから、カウンタ板５７の外周縁からカム部材６０側へ落下することがなく、カム部材６０と付勢バネ６２と間に入り込むおそれはない。
【００４７】
シャッタボタン６を押し下げると、押圧ロッド７７が係止レバー５９のバネ掛け部５９ａを押圧して反時計方向（巻き止め解除位置）に向けて回動させる。これにより、係止レバー５９の係合部７４とシャッタ駆動レバー５５の被係合部７５との係合が解除され、図９に示すように、シャッタ駆動レバー５５は第１バネ５６の付勢によって反時計方向に回動する。
【００４８】
シャッタ駆動レバー５５は、ベース部４８とレンズカバー５０との間に揺動自在に組み付けられたシャッタ羽根の一端を蹴飛ばしアーム５５ｂで蹴飛ばして揺動させる。これにより、露光開口が開放されて写真フイルム２３への露光が行われる。また、シャッタ羽根はバネの付勢によってすぐに露光開口を閉じる。
【００４９】
シャッタ羽根を蹴飛ばしたシャッタ駆動レバー５５は、被係合部７５の近傍の蹴飛ばし突起８０によって係止レバー５９の凸部７９を蹴飛ばす。これにより係止レバー５９は、第２バネ５８の付勢力が第１バネ５６の付勢力よりも弱いので反時計方向に回動され、爪部５９ｂが巻止めカム７０の溝７０ａから抜け出し、フイルム巻止めが解除される。その後、巻上げノブ１２をフイルム巻上げ方向（反時計方向）に回転操作すると、前述のようにカム部材６０が半回転され、シャッタチャージとカウンタ板５７の一目盛り分の回動とフイルム巻止めとが行われる。
【００５０】
以上のように撮影とフイルム巻上げとを繰り返して最後のコマ３０ａへの撮影が終了した後に、コマ３０ａとフイルム自由端部２３ａとを含む、残り全ての写真フイルム２３のカートリッジ本体２２内への巻上げを行う。全ての撮影が終了したレンズ付きフイルムユニット２は、ユーザーによって現像取扱店等に同時プリントの依頼の際に渡される。現像取扱店では、レンズ付きフイルムユニット２からフイルムカートリッジ１４を取り出して、現像処理とプリント処理とを行い、プリント写真とカートリッジ本体２２内に収められたネガフイルムとをユーザーに返却する。
【００５１】
以上説明した実施形態では、図７に示すように、スプロケット６１の円周面６１ａの断面形状を円弧状にしたが、図１２に示すように、スプロケット１０１の円周面１０１ａの角１０２，１０３のみを円弧状に面取りしてもよい。また、図１０に示すように、カウンタ板５７の上面に砂捕捉用の溝５７ａ〜５７ｄを設けたが、図１３に示すように、カウンタ板１０５に円弧状のスリット１０５ａ，１０５ｂ，１０５ｃを設けてもよい。これにより、砂はスリット１０５ａ，１０５ｂ，１０５ｃを通してカウンタ板１０５の真下に落下し、カム部材６０と付勢バネ６２との間に入り込むことが防止される。
【００５２】
また、写真フイルム２３の面によって擦られるスプロケット６１の面を半径ｒ1 の円周面６１ａとしたが、写真フイルム２３の面によって擦られる面であれば、本発明はこれに限定されることなく、例えば中間部が突出した放物線面としてもよい。また、上記実施形態はスプロケットの一対の歯を二組設けたが、一組あるいは三組設け、フイルム１コマ移送の間に１回転あるいは１／３回転されるようにしてもよい。この場合には、歯がない周面を写真フイルムが撓む程度まで外側に突出して形成するものとする。また、上記実施形態では、付勢バネを設けたが、スプロケットの円周面とフイルム面との摩擦力が十分であれば、付勢バネを省略することもできる。なお、上記実施形態は、本発明をレンズ付きフイルムユニットに適用した例であったが、本発明は、例えばローコストなコンパクトカメラ等にも適用することができる。
【００５３】
【発明の効果】
以上のように、本発明のスプロケットによれば、スプロケット本体の周面のうち歯が設けられていない周面をこれによって写真フイルムの面が押圧されるように外側に突出形成したので、写真フイルムの１コマ移送の間に、前記突出形成された周面と写真フイルムの面との摩擦により確実に従動回転される。したがって、別の付勢手段等を設けてスプロケットを従動回転方向に強制的に付勢する必要がなくなるため、フイルム巻上げ操作に必要な力を軽減でき、操作性を良好にすることができる。また、従来の付勢バネを省略することも可能になり、カメラやレンズ付きフイルムユニットの部品点数の削減によるコストダウンに寄与できる。また、スプロケットの周面とフイルム面との干渉量を調節することで、巻上げノブの操作力を容易に調節できる。また、スプロケットの周面の一部のみがフイルム面と接触されるようにしたから、写真フイルムのピント面に影響を与えることがない。
【００５４】
また、本発明のフイルム巻上げ装置によれば、スプロケット本体の周面のうち歯が設けられていない周面をこれによって写真フイルムの面が押圧されるように外側に突出形成したスプロケットを用いるとともに、スプロケットの従動回転を補助する付勢バネを設けたので、フイルム巻上げ操作に要する力を増加させることなく、より確実にスプロケットを従動回転させることができ、写真フイルムの１コマ送りを確実に行うことができる。
【図面の簡単な説明】
【図１】本発明のフイルム巻上げ装置に係る露光ユニットの構成を示す分解斜視図である。
【図２】レンズ付きフイルムユニットの外観を示す斜視図である。
【図３】ユニット本体の構成を示す分解斜視図である。
【図４】写真フイルムを引き出した状態のフイルムカートリッジの正面図である。
【図５】露光ユニットの天板がカム部材の上端を覆っている状態を示す説明図である。
【図６】本発明のスプロケットと写真フイルムとの関係を示す説明図である。
【図７】スプロケットの円周面の断面形状と写真フイルムとの関係を示す説明図である。
【図８】シャッタチャージ状態の露光ユニットの状態を示す平面図である。
【図９】シャッタレリーズ直後の露光ユニットの状態を示す平面図である。
【図１０】砂捕捉用の溝を形成したカウンタ板を示す平面図である。
【図１１】前カバーのシャッタボタン付近の内壁を示す説明図である。
【図１２】別のスプロケットの円周面の断面形状と写真フイルムとの関係を示す説明図である。
【図１３】別のカウンタ板の実施形態を示す平面図である。
【符号の説明】
２  レンズ付きフイルムユニット
３  ユニット本体
４  外装紙
４ａ  舌片部
６  シャッタボタン
６ａ  切欠
１３  開口
１４  フイルムカートリッジ
１７  露光ユニット
１９  前カバー
１９ａ，１９ｂ  リブ
２３  写真フイルム
２８  大パーフォレーション
２９  小パーフォレーション
５７，１０５  カウンタ板
５７ａ〜５７ｄ  溝
５９  係止レバー
６０  カム部材
６１  スプロケット
６１ａ，６１ｂ  円周面
６２  付勢バネ
６３  天板
６６  大歯
６７  小歯
１０５ａ，１０５ｂ，１０５ｃ  スリット
【図１】
0003670408.tif 000002
【図２】
0003670408.tif 000003
【図３】
0003670408.tif 000004
【図４】
0003670408.tif 000005
【図５】
0003670408.tif 000006
【図６】
0003670408.tif 000007
【図７】
0003670408.tif 000008
【図８】
0003670408.tif 000009
【図９】
0003670408.tif 000010
【図１０】
0003670408.tif 000011
【図１１】
0003670408.tif 000012
【図１２】
0003670408.tif 000013
【図１３】
0003670408.tif 000014